【手続補正書】
【提出日】平成27年10月23日(2015.10.23)
【手続補正１】
【補正対象書類名】特許請求の範囲
【補正対象項目名】全文
【補正方法】変更
【補正の内容】
【特許請求の範囲】
【請求項１】
支持体、該支持体上に下引き層、および、電荷発生物質および正孔輸送物質を含有する感光層をこの順に有する電子写真感光体において、
該下引き層が、下記式（１）で示されるアミン化合物を含有することを特徴とする電子写真感光体。
【化１】
2013137523.tif 000001
（式（１）中、Ｒ１〜Ｒ１０は、それぞれ独立に、水素原子、ハロゲン原子、ヒドロキシ基、カルボキシル基、アルコキシカルボニル基、アリールオキシカルボニル基、置換もしくは無置換のアシル基、置換もしくは無置換のアルキル基、置換もしくは無置換のアルコキシ基、置換もしくは無置換のアリールオキシ基、置換もしくは無置換のアミノ基、または、置換もしくは無置換の環状アミノ基を示す。ただし、Ｒ１〜Ｒ１０の少なくとも１つは、置換もしくは無置換のアリール基で置換されたアミノ基、置換もしくは無置換のアルキル基で置換されたアミノ基、または、置換もしくは無置換の環状アミノ基を示す。Ｘ１は、カルボニル基、または、ジカルボニル基を示す。）
【請求項２】
前記Ｒ１〜Ｒ１０の少なくとも１つが、置換もしくは無置換のアルキル基で置換されたアミノ基である請求項１に記載の電子写真感光体。
【請求項３】
前記置換もしくは無置換のアルキル基で置換されたアミノ基における置換もしくは無置換のアルキル基が、アルコキシ基で置換されたアルキル基、アリール基で置換されたアルキル基、または、無置換のアルキル基である請求項２に記載の電子写真感光体。
【請求項４】
前記置換もしくは無置換のアルキル基で置換されたアミノ基が、ジアルキルアミノ基である請求項２に記載の電子写真感光体。
【請求項５】
前記ジアルキルアミノ基が、ジメチルアミノ基、または、ジエチルアミノ基である請求項４に記載の電子写真感光体。
【請求項６】
前記Ｒ１〜Ｒ１０の少なくとも１つが、置換もしくは無置換の環状アミノ基である請求項１に記載の電子写真感光体。
【請求項７】
前記置換もしくは無置換の環状アミノ基が、モルホリノ基、または、１−ピペリジル基である請求項６に記載の電子写真感光体。
【請求項８】
前記式（１）で示されるアミン化合物が、下記式（２）〜（４）のいずれかで示されるアミン化合物である請求項１に記載の電子写真感光体。
【化２】
2013137523.tif 000002
（式（２）〜（４）中、Ｒ１１、Ｒ１３、Ｒ１５、Ｒ１７およびＲ１９は、それぞれ独立に、水素原子、置換もしくは無置換のアルキル基、または、置換もしくは無置換のアリール基を示す。Ｒ１２、Ｒ１４、Ｒ１６、Ｒ１８およびＲ２０は、それぞれ独立に、置換もしくは無置換のアルキル基、または、置換もしくは無置換のアリール基を示す。あるいは、Ｒ１１とＲ１２は、互いに結合して、置換もしくは無置換の環状アミノ基を形成してもよく、Ｒ１３とＲ１４は、互いに結合して、置換もしくは無置換の環状アミノ基を形成してもよく、Ｒ１５とＲ１６は、互いに結合して、置換もしくは無置換の環状アミノ基を形成してもよく、Ｒ１７とＲ１８は、互いに結合して、置換もしくは無置換の環状アミノ基を形成してもよく、Ｒ１９とＲ２０は、互いに結合して、置換もしくは無置換の環状アミノ基を形成してもよい。）
【請求項９】
前記Ｒ１１〜Ｒ２０が、アルコキシ基で置換されたアルキル基、アリール基で置換されたアルキル基、または、無置換のアルキル基である請求項８に記載の電子写真感光体。
【請求項１０】
前記Ｒ１１〜Ｒ２０が、メチル基、または、エチル基である請求項９に記載の電子写真感光体。
【請求項１１】
前記Ｒ１１とＲ１２、Ｒ１３とＲ１４、Ｒ１５とＲ１６、Ｒ１７とＲ１８、Ｒ１９とＲ２０が互いに結合して形成される置換もしくは無置換の環状アミノ基が、モルホリノ基、または、１−ピペリジル基である請求項８に記載の電子写真感光体。
【請求項１２】
前記下引き層における前記式（１）で示されるアミン化合物の含有量が、０．０５質量％以上１５質量％以下である請求項１〜１１のいずれか１項に記載の電子写真感光体。
【請求項１３】
前記電荷発生物質が、ヒドロキシガリウムフタロシアニンである請求項１〜１２のいずれか１項に記載の電子写真感光体。
【請求項１４】
前記感光層が、前記電荷発生物質を含有する電荷発生層、および、該電荷発生層上に前記正孔輸送物質を含有する正孔輸送層を有する請求項１〜１３のいずれか１項に記載の電子写真感光体。
【請求項１５】
前記電荷発生層が、前記電荷発生物質および前記式（１）で示されるアミン化合物を含有する請求項１４に記載の電子写真感光体。
【請求項１６】
前記下引き層が含有する前記式（１）で示されるアミン化合物と、前記電荷発生層が含有する前記式（１）で示されるアミン化合物が、同一の構造のアミン化合物である請求項１５に記載の電子写真感光体。
【請求項１７】
請求項１〜１６のいずれか１項に記載の電子写真感光体と、帯電手段、現像手段、転写手段およびクリーニング手段からなる群より選択される少なくとも１つの手段とを一体に支持し、電子写真装置本体に着脱自在であることを特徴とするプロセスカートリッジ。
【請求項１８】
請求項１〜１６のいずれか１項に記載の電子写真感光体、ならびに、帯電手段、像露光手段、現像手段および転写手段を有することを特徴とする電子写真装置。
【手続補正２】
【補正対象書類名】明細書
【補正対象項目名】０００７
【補正方法】変更
【補正の内容】
【０００７】
本発明は、支持体、該支持体上に下引き層、および、電荷発生物質および正孔輸送物質を含有する感光層をこの順に有する電子写真感光体において、
該下引き層が、下記式（１）で示されるアミン化合物を含有することを特徴とする電子写真感光体である。
【化１】
2013137523.tif 000003
（式（１）中、Ｒ１〜Ｒ１０は、それぞれ独立に、水素原子、ハロゲン原子、ヒドロキシ基、カルボキシル基、アルコキシカルボニル基、アリールオキシカルボニル基、置換もしくは無置換のアシル基、置換もしくは無置換のアルキル基、置換もしくは無置換のアルコキシ基、置換もしくは無置換のアリールオキシ基、置換もしくは無置換のアミノ基、または、置換もしくは無置換の環状アミノ基を示す。ただし、Ｒ１〜Ｒ１０の少なくとも１つは、置換もしくは無置換のアリール基で置換されたアミノ基、置換もしくは無置換のアルキル基で置換されたアミノ基、または、置換もしくは無置換の環状アミノ基である。Ｘ１は、カルボニル基、または、ジカルボニル基を示す）。
【手続補正３】
【補正対象書類名】明細書
【補正対象項目名】００１２
【補正方法】変更
【補正の内容】
【００１２】
本発明の電子写真感光体は、支持体、該支持体上に下引き層（中間層またはバリア層とも呼ばれる。）、および、電荷発生物質および正孔輸送物質を含有する感光層をこの順に有する電子写真感光体である。そして、本発明は、下引き層が、下記式（１）で示されるアミン化合物を含有することを特徴とする。
【化２】
2013137523.tif 000004
上記式（１）中、Ｒ１〜Ｒ１０は、それぞれ独立に、水素原子、ハロゲン原子、ヒドロキシ基、カルボキシル基、アルコキシカルボニル基、アリールオキシカルボニル基、置換もしくは無置換のアシル基、置換もしくは無置換のアルキル基、置換もしくは無置換のアルコキシ基、置換もしくは無置換のアリールオキシ基、置換もしくは無置換のアミノ基、または、置換もしくは無置換の環状アミノ基を示す。ただし、Ｒ１〜Ｒ１０の少なくとも１つは、置換もしくは無置換のアリール基で置換されたアミノ基、置換もしくは無置換のアルキル基で置換されたアミノ基、または、置換もしくは無置換の環状アミノ基を示す。Ｘ１は、カルボニル基、または、ジカルボニル基を示す。
【手続補正４】
【補正対象書類名】明細書
【補正対象項目名】００２６
【補正方法】変更
【補正の内容】
【００２６】
本発明の電子写真感光体は、上述のとおり、支持体、該支持体上に下引き層、および、感光層をこの順に有する電子写真感光体である。感光層は、電荷発生物質および正孔輸送物質を単一の層に含有させた単層型感光層であってもよいし、電荷発生物質を含有する電荷発生層と正孔輸送物質を含有する正孔輸送層とを積層した積層型感光層であってもよい。